(57)【要約】【課題】  受信した音声データを楽曲ごとに検索可能な状態で簡易な処理で記録媒体にリアルタイムに記録することが可能な情報記録再生装置を提供する。【解決手段】  情報記録再生装置は、音声ストリームとともに、その音声ストリームで送信中の楽曲の付加情報を含むデータストリームを受信する。付加情報には、楽曲の演奏時間および経過時間などの時間情報が記録されている。情報記録再生装置は、受信した音声ストリームをそのまま順次ＨＤＤに記録するとともに、受信した付加情報に基づいて、音声ストリームにおいて現在受信中の楽曲（例えば楽曲Ａ）の受信終了時刻を算出し、算出された受信終了時刻になった時点（タイミングＴ３２）で、受信中の楽曲のデータのＨＤＤにおける記録位置を示す記録位置情報を、次に受信される楽曲の先頭位置として当該楽曲の付加情報に関連付けて、ＨＤＤに記録する。【選択図】  図３
2005174405.tif 000002
【特許請求の範囲】
【請求項１】
コンテンツのデータと、送信中の前記コンテンツのデータ内のプログラムごとの時間情報を含む前記プログラムの付加情報とを含むデータストリームを受信して前記記録媒体に記録し、記録した前記コンテンツを再生する情報記録再生装置において、
受信された前記付加情報に基づいて、前記コンテンツのデータにおいて現在受信中の前記プログラムの受信終了時刻を算出する時刻算出手段と、
受信された前記コンテンツのデータを前記記録媒体に順次記録させるとともに、前記時刻算出手段により算出された前記受信終了時刻になった時点で、受信中の前記コンテンツのデータの前記記録媒体における記録位置を示す記録位置情報を、次に受信される前記プログラムの先頭位置として当該プログラムの前記付加情報に関連付けて前記記録媒体に記録させる記録制御手段と、
を有することを特徴とする情報記録再生装置。
【請求項２】
前記付加情報は、前記時間情報として当該プログラムの演奏時間と経過時間とを含み、
前記時刻算出手段は、前記演奏時間と前記経過時間とを基に前記受信終了時刻を算出することを特徴とする請求項１記載の情報記録再生装置。
【請求項３】
前記記録制御手段は、前記時刻算出手段により算出された前記受信終了時刻に基づき、現在受信中の前記プログラムが、その途中から前記記録媒体への記録が開始されたものである場合、およびその途中で前記記録媒体への記録が終了されたものである場合には、記録が不完全であることを示す情報を当該プログラムの前記付加情報に関連付けて前記記録媒体に記録させることを特徴とする請求項１記載の情報記録再生装置。
【請求項４】
ユーザからの入力操作に応じて、受信中の前記コンテンツのデータの前記記録媒体への記録開始および記録終了を指示する信号を出力する入力手段をさらに有し、
前記記録制御手段は、前記入力手段から記録開始を指示する信号を受けたとき、前記時刻算出手段により算出された前記受信終了時刻に基づいて、前記プログラムの途中の前記コンテンツのデータを受信中であると判定した場合には、当該プログラムの前記受信終了時刻から前記コンテンツのデータの前記記録媒体への記録を開始させることを特徴とする請求項１記載の情報記録再生装置。
【請求項５】
前記記録媒体はハードディスクドライブであり、前記記録位置情報は前記ハードディスクドライブ内のセクタを指し示す情報であることを特徴とする請求項１記載の情報記録再生装置。
【請求項６】
ユーザからの入力操作に応じて、前記記録媒体に記録された前記プログラムを指定するプログラム指定手段と、
前記プログラム指定手段により指定された前記プログラムに対応する前記付加情報に関連付けられた前記記録位置情報を前記記録媒体から読み出し、読み出した前記記録位置情報によって指し示される前記記録媒体上の記録位置から前記コンテンツのデータを読み出す読み出し制御手段と、
前記読み出し制御手段により前記記録媒体から読み出された前記コンテンツのデータを基に再生信号を出力する再生処理手段と、
をさらに有することを特徴とする請求項１記載の情報記録再生装置。
【請求項７】
画面表示のための表示信号を出力する表示制御手段をさらに有し、
前記読み出し制御手段は、前記プログラム指定手段により指定された前記プログラムに対応する前記付加情報を、対応する前記記録位置情報および前記コンテンツのデータとともに前記記録媒体から読み出し、
前記表示制御手段は、前記読み出し制御手段により読み出された前記付加情報の内容を画面に表示させるための前記表示信号を出力することを特徴とする請求項６記載の情報記録再生装置。
【請求項８】
前記プログラム指定手段は、ユーザからの入力操作に応じて前記記録媒体に記録された前記プログラムの再生順番を指定し、
前記読み出し制御手段は、前記プログラム指定手段により指定された前記再生順番に従い、指定された前記プログラムに対応する前記記録位置情報によって指し示される前記記録媒体上の記録位置から前記コンテンツのデータを順次読み出すことを特徴とする請求項６記載の情報記録再生装置。
【請求項９】
前記コンテンツのデータは少なくとも音声データを含み、前記プログラムは楽曲を示すことを特徴とする請求項１記載の情報記録再生装置。
【請求項１０】
コンテンツのデータと、送信中の前記コンテンツのデータ内のプログラムごとの時間情報を含む前記プログラムの付加情報とを含むデータストリームを受信して記録媒体に記録するための情報記録方法において、
時刻算出手段が、受信手段により受信された前記付加情報に基づいて、前記コンテンツのデータにおいて現在受信中の前記プログラムの受信終了時刻を算出し、
記録制御手段が、前記受信手段により受信された前記コンテンツのデータを前記記録媒体に順次記録させるとともに、前記時刻算出手段により算出された前記受信終了時刻になった時点で、受信中の前記コンテンツのデータの前記記録媒体における記録位置を示す記録位置情報を、次に受信される前記プログラムの先頭位置として当該プログラムの前記付加情報に関連付けて前記記録媒体に記録させる、
ことを特徴とする情報記録方法。
【発明の詳細な説明】
【技術分野】
【０００１】
本発明は、コンテンツのデータと、送信中のコンテンツのデータ内のプログラムごとの時間情報を含むプログラムの付加情報とを含むデータストリームを受信して記録媒体に記録し、記録したコンテンツを再生する情報記録再生装置、および記録媒体への情報記録方法に関する。
【背景技術】
【０００２】
近年、通信衛星などを用いたデジタル放送の普及が進んでいる。デジタル放送では、高品質の信号伝送が可能な上に、周波数利用効率の向上により多チャネル化が図られ、映画、スポーツ、ニュース、音楽などの様々なコンテンツが多重化されて放送されている。
【０００３】
このようなコンテンツの１つとして、デジタル音声データを用いた音楽専門のラジオ番組が放送されている。例えば、ＭＰＥＧ（Moving Picture Experts Group）などの音声圧縮方式を用いて圧縮された楽曲の音声データが、連続的に放送される放送チャネルがある。また、このような音声データとともに、配信されている楽曲についての各種付加情報が書き込まれたデータを並行して配信することで、楽曲を聴取しているユーザがその楽曲についての付加情報を視認し、また楽曲の音声データとともに記録媒体に記録できるようなサービスも行われている。付加情報としては、例えば、楽曲名、演奏者などのアーティスト名などが配信されている。
【０００４】
一方、最近では、書き込み型のＤＶＤ（Digital Versatile Disk）やＨＤＤ（Hard Disk Drive）などを用いた大容量の記録装置が安価で販売されるようになり、上記のような音楽専門のラジオ番組で配信された楽曲の音声データなども、このような記録装置に多数記録することが可能となっている。例えば、ＭＰＥＧ−ＡＵＤＩＯ−Ｌａｙｅｒ２方式により圧縮符号化された配信楽曲の場合、８０ＧバイトのＨＤＤに対して約７００時間分程度の音声データを記録することが可能となっている。
【０００５】
配信された楽曲の音声データを記録装置に記録する場合は、通常、楽曲単位で記録が行われるため、記録装置では、連続的に配信される楽曲の境界を判別して、受信された音声信号を楽曲ごとに自動的に記録させることが望まれている。このような要望に対して、従来、入力された音声データのレベルに基づいて、楽曲間の無音期間を自動的に検出することで、楽曲ごとの自動記録を容易に実現することが行われていた。さらに、音楽配信などの放送コンテンツを受信する受信装置において、上記のように音声データに並行して送信された付加情報から楽曲の開始時点を判断し、その開始時点より前の所定時間分だけ、受信装置から記録装置へ出力する音声信号を無音にすることで、記録装置において楽曲の境界を確実に判別することを可能としたデータ伝送システムもあった（例えば、特許文献１参照）。
【０００６】
また、大容量の記録装置には多数の楽曲の音声データが記録可能であるため、記録された音声データを容易に検索するための技術も求められている。このような例として、ＤＶＤなどの可搬型の光ディスク媒体に対する音声データの記録の際に、オーディオフレームの先頭が含まれているオーディオパケット内のオーディオフレーム情報に、その先頭の記録位置を示すファーストアクセスユニットポインタを記録しておき、再生時には、ファーストアクセスユニットポインタを手掛かりに、オーディオフレームの開始位置を容易に検索できるようにした記録装置があった（例えば、特許文献２参照）。
【特許文献１】特開２０００−３６１８４号公報（段落番号〔００９１〕〜〔００９９〕、図９）
【特許文献２】特開平９−２５１７６２号公報（段落番号〔００８６〕〜〔００９１〕）
【発明の開示】
【発明が解決しようとする課題】
【０００７】
上述したように、音楽専門の放送チャネルを受信して楽曲を視聴すると同時に、任意の楽曲の音声データをリアルタイムに記録装置に記録し、さらに、記録装置に記録した音声データを楽曲単位で容易に検索し、再生することが望まれている。しかし、音声データの記録の際に、入力される音声データのレベルに基づいて無音期間を検出し、楽曲の境界を判別する方法では、配信する楽曲の間の無音期間が短い場合には境界を確実に検出することはできず、逆に無音期間を長くとって配信した場合には、配信可能な楽曲の数が少なくなってしまうという課題がある。
【０００８】
このため、音声データに並行して配信される付加情報に楽曲の演奏時間や経過時間などを記述し、これらの情報を用いて楽曲の先頭部を確実に検出することが望まれている。しかし、従来のシステムでこのような自動検出を実現するためには、放送を受信する受信装置と記録装置との間での信号のやり取りや、記録する情報の生成などの処理が複雑になるという問題があった。特に最近では、ＨＤＤを用いた映像・音声データの記録装置が増加しており、放送を通じて受信した音声や映像のデータを簡易な処理でＨＤＤ内にリアルタイムに記録するとともに、記録されたデータの検索を容易にすることが望まれている。
【０００９】
なお、特許文献２に開示された記録装置では、音声信号の入力を受けた後でその音声信号と制御情報とを一旦ＨＤＤに格納した後、ＨＤＤから読み出した情報を多重化して記録媒体に記録しており、音声信号の入力を受けてその音声信号や楽曲の先頭部を示す情報などをリアルタイムに記録することは困難であった。
【００１０】
本発明はこのような点に鑑みてなされたものであり、データストリームとして受信した音声データを、楽曲ごとに検索可能な状態で簡易な処理で記録媒体にリアルタイムに記録することが可能な情報記録再生装置を提供することを目的とする。
【００１１】
また、本発明の他の目的は、データストリームとして受信した音声データを、楽曲ごとに検索可能な状態で簡易な処理で記録媒体にリアルタイムに記録することが可能な情報記録方法を提供することである。
【課題を解決するための手段】
【００１２】
本発明では上記課題を解決するために、コンテンツのデータと、送信中の前記コンテンツのデータ内のプログラムごとの時間情報を含む前記プログラムの付加情報とを含むデータストリームを受信して前記記録媒体に記録し、記録した前記コンテンツを再生する情報記録再生装置において、受信された前記付加情報に基づいて、前記コンテンツのデータにおいて現在受信中の前記プログラムの受信終了時刻を算出する時刻算出手段と、受信された前記コンテンツのデータを前記記録媒体に順次記録させるとともに、前記時刻算出手段により算出された前記受信終了時刻になった時点で、受信中の前記コンテンツのデータの前記記録媒体における記録位置を示す記録位置情報を、次に受信される前記プログラムの先頭位置として当該プログラムの前記付加情報に関連付けて前記記録媒体に記録させる記録制御手段とを有することを特徴とする情報記録再生装置が提供される。
【００１３】
このような情報記録再生装置では、コンテンツのデータとともに、コンテンツ内のプログラムごとの時間情報を含む付加情報が受信され、時刻算出手段により、受信された付加情報に基づいて、コンテンツのデータにおいて現在受信中のプログラムの受信終了時刻が算出される。これにより、次に受信されるプログラムの先頭の受信時刻が算出される。また、記録制御手段の制御により、受信されたコンテンツのデータは記録媒体に順次記録されていく。これとともに、記録制御手段は、時刻算出手段により算出された受信終了時刻になった時点で、受信中のコンテンツのデータの記録媒体における記録位置を示す記録位置情報を、次に受信されるプログラムの付加情報に関連付けて記録媒体に記録させる。これにより、記録媒体に記録された付加情報に関連付けられた記録位置情報を読み取ることで、対応するプログラムの先頭の記録媒体における記録位置を認識することが可能となる。
【００１４】
また、本発明では、コンテンツのデータと、送信中の前記コンテンツのデータ内のプログラムごとの時間情報を含む前記プログラムの付加情報とを含むデータストリームを受信して記録媒体に記録するための情報記録方法において、時刻算出手段が、受信手段により受信された前記付加情報に基づいて、前記コンテンツのデータにおいて現在受信中の前記プログラムの受信終了時刻を算出し、記録制御手段が、前記受信手段により受信された前記コンテンツのデータを前記記録媒体に順次記録させるとともに、前記時刻算出手段により算出された前記受信終了時刻になった時点で、受信中の前記コンテンツのデータの前記記録媒体における記録位置を示す記録位置情報を、次に受信される前記プログラムの先頭位置として当該プログラムの前記付加情報に関連付けて前記記録媒体に記録させることを特徴とする情報記録方法が提供される。
【００１５】
このような情報記録方法では、受信手段により、コンテンツのデータとともに、コンテンツ内のプログラムごとの時間情報を含む付加情報が受信されているときに、時刻算出手段により、受信された付加情報に基づいて、コンテンツのデータにおいて現在受信中のプログラムの受信終了時刻が算出される。これにより、次に受信されるプログラムの先頭の受信時刻が算出される。また、記録制御手段の制御により、受信されたコンテンツのデータが記録媒体に順次記録されていき、時刻算出手段により算出された受信終了時刻になった時点で、受信中のコンテンツのデータの記録媒体における記録位置を示す記録位置情報が、次に受信されるプログラムの付加情報に関連付けられて記録媒体に記録される。これにより、記録媒体に記録された付加情報に関連付けられた記録位置情報を読み取ることで、対応するプログラムの先頭の記録媒体における記録位置を認識することが可能となる。
【発明の効果】
【００１６】
本発明の情報記録再生装置によれば、受信されたコンテンツのデータが記録媒体に順次記録されるとともに、コンテンツ内のプログラムの先頭の記録媒体における記録位置を指し示す記録位置情報が、プログラムの付加情報に関連付けられて記録媒体に記録される。従って、受信したコンテンツのデータや付加情報を簡易な処理でリアルタイムに記録可能でありながら、記録したコンテンツのデータをプログラム単位で容易に検索し、読み出すことが可能となる。
【００１７】
また、本発明の情報記録方法によれば、受信されたコンテンツのデータが記録媒体に順次記録されるとともに、コンテンツ内のプログラムの先頭の記録媒体における記録位置を指し示す記録位置情報が、プログラムの付加情報に関連付けられて記録媒体に記録される。従って、受信したコンテンツのデータや付加情報を簡易な処理でリアルタイムに記録可能でありながら、記録したコンテンツのデータをプログラム単位で容易に検索し、読み出すことが可能となる。
【発明を実施するための最良の形態】
【００１８】
以下、本発明を通信衛星を用いた衛星デジタル放送に適用した場合を想定して、本発明の実施の形態を図面を参照して詳細に説明する。この衛星デジタル放送では、動画像と音声とからなる通常のテレビジョン番組が放送されるＴＶチャネルの他に、音楽専門のラジオ番組が放送される放送チャネル（以下、音楽チャネルと呼称する）を受信することが可能となっている。
【００１９】
図１は、本発明の実施の形態に係る衛星デジタル放送システムのシステム構成例を示す図である。
図１に示す衛星デジタル放送システムは、衛星デジタル放送を送信する地上局１と、地上局１から送信された放送電波を中継する通信衛星２と、通信衛星２により中継された放送電波を受信する放送受信装置３とを有する。また、地上局１と放送受信装置３とは、電話回線網４により接続されている。
【００２０】
地上局１は、放送コンテンツの素材を提供するサーバとして、ＴＶ番組素材サーバ１１、楽曲素材サーバ１２、および音声付加情報サーバ１３を具備し、また、提供したコンテンツを放送受信装置３において視聴するためのＧＵＩ（Graphical User Interface）データを提供するＧＵＩデータサーバ１４を具備する。さらに、放送受信装置３においてコンテンツを受信する際の認証用サーバとして、課金サーバ１５およびキー情報サーバ１６を具備する。
【００２１】
ＴＶ番組素材サーバ１１は、映画やスポーツ中継などのＴＶチャネル用の素材を地上局１に対して提供するサーバであり、動画像データおよび音声データが蓄積され、番組プログラムに従ってそれらのデータを地上局１に順次送信する。
【００２２】
楽曲素材サーバ１２は、音楽チャネルにおいて配信する音声データを地上局１に対して提供するサーバであり、楽曲の音声データが蓄積され、番組プログラムに従ってそれらの音声データを地上局１に順次送信する。
【００２３】
音声付加情報サーバ１３は、音楽チャネルにより配信される楽曲についての各種付加情報を提供するサーバである。音声付加情報サーバ１３は、楽曲素材サーバ１２の動作に連動して、地上局１に送信されている楽曲の付加情報を地上局１に送信する。この付加情報には、後述するように、楽曲のタイトル、アーティスト名、演奏時間、経過時間などが含まれる。
【００２４】
ＧＵＩデータサーバ１４は、音楽チャネルにより配信される楽曲のリストページや各楽曲の情報ページの画面、楽曲のジャケット画像、ＥＰＧ（Electric Program Guide）用の画面などを形成するためのＧＵＩデータを提供するサーバである。ＧＵＩデータサーバ１４は、楽曲素材サーバ１２および音声付加情報サーバ１３の動作に連動して、地上局１に送信されている楽曲に対応する上記の各種ＧＵＩデータを地上局１に送信する。
【００２５】
課金サーバ１５は、放送を受信して視聴する視聴者に対する課金処理を実行するサーバである。課金サーバ１５は、各視聴者の番組視聴に関する契約情報を保持し、ＰＰＶ（Pay Per View）番組について、放送受信装置３から送信される番組視聴履歴情報に応じて課金を行い、視聴者に請求する。
【００２６】
キー情報サーバ１６は、放送コンテンツのデータに対してスクランブル処理を施す際のキー情報を、地上局１に対して提供するサーバである。
地上局１は、ＴＶ番組素材サーバ１１からの動画像・音声データ、楽曲素材サーバ１２からの音声データ、音声付加情報サーバ１３からの付加情報、およびＧＵＩデータサーバ１４からのＧＵＩデータなどを、各番組の視聴条件を示すＥＣＭ（Entitlement Control Message）および視聴者の契約情報を示すＥＭＭ（Entitlement Management Message）とともに多重化し、トランスポートストリームを生成する。このとき、ＴＶ番組素材サーバ１１からの動画像・音声データ、および楽曲素材サーバ１２からの音声データをＭＰＥＧ方式により圧縮符号化する。また、限定受信方式により送信される番組コンテンツのデータに対して、キー情報サーバ１６からのキー情報を用いてスクランブル処理が施される。
【００２７】
なお、楽曲素材サーバ１２からの音声データを用いた音楽チャネルでは、楽曲が連続的に配信されるとともに、配信中の楽曲に関する付加情報が配信される。音声付加情報サーバ１３からの付加情報は、楽曲素材サーバ１２からの音声データを伝送する音声ストリームとは個別のデータストリームとして多重化される。そして、放送受信装置３では、ＧＵＩデータサーバ１４からのＧＵＩデータに基づいてＧＵＩ画面が表示され、このＧＵＩ画面に対する操作により、配信される楽曲についての付加情報の内容を画面に表示させる、あるいは記録媒体に記録させることが可能となる。
【００２８】
さらに、地上局１は、生成したトランスポートストリームに対して、誤り訂正符号を付加した後、ＱＰＳＫ（Quadrature Phase Shift Keying）変調を施し、通信衛星２に対して送信する。
【００２９】
一方、放送受信装置３は、通信衛星２からの放送電波を受信して所望のチャネルの番組を選択し、復調するＩＲＤ（Integrated Receiver Decoder）としての機能と、選択した番組コンテンツのデータを記録し、記録したデータを再生する記録再生装置としての機能とを具備している。放送受信装置３の出力信号は、例えばテレビジョン受像機３ａに供給され、これにより選択したチャネルの番組などを視聴することが可能となる。
【００３０】
図２は、放送受信装置３の内部構成例を示すブロック図である。
図２に示すように、放送受信装置３は、チューナ３１、デスクランブラ３２、ＴＳ分離回路３３、ＭＰＥＧビデオデコーダ３４、ＭＰＥＧオーディオデコーダ３５、画像合成処理回路３６、ＮＴＳＣ（National Television Standards Committee）変換回路３７、ＤＡコンバータ３８、ＣＰＵ（Central Processing Unit）３９、ＲＯＭ（Read Only Memory）４０、ＲＡＭ（Random Access Memory）４１、ＨＤコントローラ４２、ＨＤＤ４３、入力Ｉ／Ｆ（インタフェース）４４、モデム４５、およびメモリカードＩ／Ｆ４６を具備する。放送受信装置３は、ＣＰＵ３９が内部バス４７を介して装置内の各コンポーネントに接続して、これらに対する統括的な制御を実行する構成となっている。また、メモリカードＩ／Ｆ４６には、メモリカード４６ａが装着される。
【００３１】
チューナ３１は、アンテナにより受信された放送電波の入力を受けて、ＣＰＵ３９からの指示に従って所定の搬送周波数の信号を選択し、ＱＰＳＫ復調および誤り訂正処理を施して、トランスポートストリームをデスクランブラ３２に出力する。
【００３２】
デスクランブラ３２は、チューナ３１からのトランスポートストリームからＥＣＭおよびＥＥＭを抽出し、ＣＰＵ３９に供給する。また、ＣＰＵ３９の制御により視聴可能と判断されたトランスポートストリーム内の放送コンテンツのデータに対して、メモリカード４６ａから読み出されたキー情報を用いてデスクランブル処理を施す。
【００３３】
ＴＳ分離回路３３は、デスクランブル処理されたトランスポートストリームから、動画像データ、音声データなど、ＣＰＵ３９に指定されたデータが格納されたパケット（ＴＳパケット）を分離する。ＴＶチャネル用の動画像データおよび音声データを含むパケットは、それぞれＭＰＥＧビデオデコーダ３４およびＭＰＥＧオーディオデコーダ３５に供給され、音楽チャネル用の音声データを含むパケットはＭＰＥＧオーディオデコーダ３５に供給される。また、これらのデータを記録する場合は、そのパケットがＣＰＵ３９の制御の下で内部バス４７を通じてＨＤＤ４３やＲＡＭ４１などに供給される。また、トランスポートストリーム中の音声データに対する付加情報およびＧＵＩデータを含むパケットは、内部バス４７を通じてＣＰＵ３９に供給され、所定の処理が行われる。
【００３４】
ＭＰＥＧビデオデコーダ３４は、ＴＳ分離回路３３から、あるいは内部バス４７を通じて供給されたパケット中の動画像データをＭＰＥＧ−２方式に従って伸張復号化処理し、処理後の動画像データを画像合成処理回路３６に出力する。また、ＭＰＥＧオーディオデコーダ３５は、ＴＳ分離回路３３から、あるいは内部バス４７を通じて供給されたパケット中の音声データを、ＭＰＥＧ−ＡＵＤＩＯ−Ｌａｙｅｒ２方式に従って伸張復号化処理し、処理後の音声データをＤＡコンバータ３８に出力する。
【００３５】
画像合成処理回路３６は、ＭＰＥＧビデオデコーダ３４により処理された動画像データに、ＣＰＵ３９の処理により生成されたＧＵＩ画像のデータを必要に応じて合成し、ＮＴＳＣ変換回路３７に出力する。ＮＴＳＣ変換回路３７は、画像合成処理回路３６によって生成された画像データを、ＮＴＳＣ方式のアナログ画像信号に変換し、テレビジョン受像機３ａに出力する。ＤＡコンバータ３８は、ＭＰＥＧオーディオデコーダ３５により処理された音声データをアナログ音声信号に変換し、テレビジョン受像機３ａに出力する。
【００３６】
ＣＰＵ３９は、ＲＯＭ４０に格納されたプログラムを実行することにより、放送受信装置３内の各部を制御する。ＲＯＭ４０には、ＯＳ（Operating System）やＢＩＯＳ（Basic Input／Output System）、アプリケーションプログラム、その他の各種データがあらかじめ格納される。ＲＡＭ４１は、ＣＰＵ３９に実行させるプログラムの少なくとも一部や、このプログラムによる処理に必要な各種データを一時的に記憶する。
【００３７】
ＨＤコントローラ４２は、ＣＰＵ３９により指定されるコマンドやアドレス情報に基づいて、ＨＤＤ４３におけるデータの書き込みおよび読み出しの動作を制御する。ＨＤＤ４３には、動画像データや音声データなどの各種放送コンテンツ、および付加情報などが記録される。
【００３８】
入力Ｉ／Ｆ４４は、例えば、図示しないリモートコントローラからの赤外線信号を受信する受信回路や、ユーザがマニュアル操作を行うための操作スイッチなどを具備し、ユーザの入力操作に応じた制御信号をＣＰＵ３９に対して供給する。モデム４５は、電話回線網４に接続して通信を行うための通信Ｉ／Ｆ回路である。
【００３９】
メモリカードＩ／Ｆ４６は、装着されたメモリカード４６ａに対する書き込みおよび読み出しの動作を制御するＩ／Ｆ回路である。メモリカード４６ａは不揮発性の半導体メモリからなり、このメモリカード４６ａには、放送の受信信号から抽出された契約情報や、デスクランブル用のキー情報などが格納される。
【００４０】
ここで、この放送受信装置３における基本的な動作について説明する。
まず、ＣＰＵ３９は、入力Ｉ／Ｆ４４からの制御信号に基づいて選局情報をチューナ３１に出力し、チューナ３１では、入力された選局情報に応じた搬送周波数の受信信号が選局され、復調される。復調されたトランスポートストリームはデスクランブラ３２に供給されるが、トランスポートストリームから抽出されたＥＥＭから、ＣＰＵ３９の制御により当該視聴者の契約情報が抽出されると、この契約情報がメモリカード４６ａに書き込まれる。また、ＣＰＵ３９の制御の下で、メモリカード４６ａから読み出された契約情報と、チューナ３１からのトランスポートストリームから抽出されたＥＣＭとが照合され、視聴可能である放送コンテンツについては、デスクランブラ３２において、メモリカード４６ａから読み出されたデスクランブル用のキー情報を用いてデスクランブル処理が施される。
【００４１】
ユーザによりＴＶチャネルが選局されている場合には、デスクランブル処理されたトランスポートストリームから、指定されたチャネルの動画像データおよび音声データを含むパケットがＴＳ分離回路３３により分離され、それぞれＭＰＥＧビデオデコーダ３４およびＭＰＥＧオーディオデコーダ３５により伸張復号化処理される。処理後の動画像データは画像合成処理回路３６を介してＮＴＳＣ変換回路３７に供給され、処理後の音声データはＤＡコンバータ３８に供給される。これにより、選局されたテレビジョン番組がテレビジョン受像機３ａにおいて再生出力される。
【００４２】
また、ＴＶチャネルの受信中に、ユーザの操作入力により録画が要求された場合、ＴＳ分離回路３３において分離された該当する動画像データおよび音声データのパケットは、ＨＤコントローラ４２を介してＨＤＤ４３に順次記録される。さらに、ＨＤＤ４３に記録されたテレビジョン番組の再生が要求された場合には、ＨＤＤ４３から該当する動画像データおよび音声データが読み出されて、それぞれＭＰＥＧビデオデコーダ３４およびＭＰＥＧオーディオデコーダ３５に供給され、伸張復号化処理される。これにより、テレビジョン受像機３ａにおいて、録画されていたテレビジョン番組が再生される。
【００４３】
一方、ユーザにより音楽チャネルが選局されている場合は、デスクランブル処理されたトランスポートストリームから、指定された音楽チャネルに対応する音声データを含むパケットと、このチャネルに対応する付加情報およびＧＵＩデータをそれぞれ含むパケットが分離される。音声データのパケットはＭＰＥＧオーディオデコーダ３５に供給されて伸張復号化処理され、処理後の音声データがＤＡコンバータ３８に供給される。これにより、配信された楽曲がテレビジョン受像機３ａにおいて再生出力される。
【００４４】
また、ＴＳ分離回路３３において分離された付加情報およびＧＵＩデータの各パケットはＣＰＵ３９に供給される。ＣＰＵ３９は、このうちＧＵＩデータに基づいて、画像合成処理回路３６により出力画像にＧＵＩ画像を合成させ、ＮＴＳＣ変換回路３７を介してテレビジョン受像機３ａに出力し、ＧＵＩ画像を表示させる。そして、ＧＵＩ画像に対するユーザの入力に応じて、必要な情報を付加情報から抽出し、例えば文字データなどとして画像合成処理回路３６において出力画像に合成させる。これにより、ユーザは、配信されている楽曲についての付加情報をテレビジョン受像機３ａに表示させることができる。
【００４５】
さらに、音楽チャネルの受信中に、ユーザの操作入力により音声の録音が要求された場合は、ＴＳ分離回路３３により分離された音声データのパケットがＨＤＤ４３に順次記録される。これとともに、分離された付加情報中の時間情報に基づいて、記録される楽曲の先頭データのＨＤＤ４３における書き込み位置などが格納されたメタデータテーブルが、ＨＤＤ４３に書き込まれる。
【００４６】
そして、ＨＤＤ４３に記録された音楽チャネルの音声データの再生が要求されると、ＣＰＵ３９は、上記のメタデータテーブルを参照して、指定された楽曲の先頭データの記録位置をＨＤコントローラ４２に指定する。これにより、指定された楽曲の音声データがＨＤＤ４３から読み出されて、ＭＰＥＧオーディオデコーダ３５に供給され、伸張復号化処理されてＤＡコンバータ３８を介して出力され、テレビジョン受像機３ａにおいて再生出力される。また、このとき、再生された楽曲の付加情報をメタデータテーブルから読み出し、テレビジョン受像機３ａに表示させることも可能である。
【００４７】
なお、放送受信装置３には、この他に、外部の機器と通信するための通信Ｉ／Ｆを設け、受信したトランスポートストリームからＴＳ分離回路３３において分離した所望の動画像データや音声データのパケットを通信Ｉ／Ｆを通じて外部の機器に送信する、あるいは外部の機器から通信Ｉ／Ｆを通じて動画像データや音声データを受信し、ＨＤＤ４３へ記録したり、伸張復号化してテレビジョン受像機３ａに出力することを可能としてもよい。また、伸張復号化した動画像データや音声データは、デジタルデータのままで通信Ｉ／Ｆやデジタル出力端子などから外部に出力することを可能としてもよい。
【００４８】
次に、音楽チャネルにより受信した音声データを記録する際の処理について詳しく説明する。
図３は、音楽チャネルにおいて送信されるデータストリームの構成を模式的に示す図である。
【００４９】
上述したように、音楽チャネルでは、楽曲の音声データとともに、楽曲に対応する付加情報が同時に送信される。図３に示すように、音声データが格納される音声ストリームには、各楽曲の音声データが数秒程度の無音期間を挟んで連続的に格納される。音声ストリームでは、実際には、音声データがＭＰＥＧ−２方式に基づくＰＥＳ（Packetized Elementary Stream）パケットに分割されて格納された後、このＰＥＳパケット列がさらにＴＳパケットに分割されて構成される。ＰＥＳパケットのヘッダには、音声データの再生出力タイミングを示すＰＴＳ（Presentation Time Stamp）などが格納され、ＴＳパケットのヘッダには、再生装置での再生時刻基準を与えるＳＴＣ（System Time Clock）のカウント値をセットするためのＰＣＲ（Program Clock Reference）や、所望のデータストリームをトランスポートストリームから分離するためのＰＩＤ（パケット識別子）などが格納されている。
【００５０】
一方、付加情報は、図３に示すように、音声ストリームとは別のデータストリームに格納され、伝送される。付加情報も同様にＴＳパケットに格納されて伝送される。付加情報には、楽曲名、楽曲を演奏しているアーティスト名、楽曲の演奏開始から終了までの時間を示す演奏時間、現在送信されている音声データについての当該楽曲の演奏開始からの経過時間などが記述される。そして、付加情報は、その時点で音声ストリームにより送信されている楽曲に対応しており、音声ストリームの送信に伴って、１つの楽曲の演奏時間より十分短い一定時間間隔で送信される。
【００５１】
ところで、音声ストリームは、楽曲の音声データが単に連続的に伝送されているだけなので、音声ストリームのみからは、楽曲の境界を判別することはできない。しかし、付加情報に格納された演奏時間と経過時間とを参照することで、楽曲の境界を判別することが可能になる。例えば、図３において楽曲Ａを受信しているタイミングＴ３１では、このとき受信された付加情報を参照して演奏時間から経過時間を減算することで、楽曲Ａの受信が終了するまでの時間を算出することが可能となる。この時間から算出される受信終了時刻は、次に受信される楽曲Ｂの受信開始時刻と見なすことができる。
【００５２】
図３の例では、タイミングＴ３１において音声ストリームの記録が開始されると、楽曲Ａは途中から記録されるとともに、楽曲Ａに対応する付加情報からその受信終了時刻（タイミングＴ３２に対応）が算出される。タイミングＴ３２において楽曲Ａの受信が終了すると、引き続き楽曲Ｂが受信されて記録され、同様に楽曲Ｂに対応する付加情報からその受信終了時刻（タイミングＴ３３に対応）が算出される。以下、同様にしてタイミングＴ３３で楽曲Ｃの受信・記録が開始され、タイミングＴ３４で楽曲Ｄの受信・記録が開始される。また、図３では、楽曲Ｄの受信途中のタイミングＴ３５で記録の終了が指示されている。
【００５３】
本実施の形態に係る放送受信装置３では、音楽チャネルで受信した音声データをＨＤＤ４３に記録させる際、ＴＳ分離回路３３において分離された音声ストリームのデータを含むＴＳパケット列を、そのままの状態でＨＤＤ４３に記録させる。これにより、記録時の処理を単純にし、受信中の音声ストリームのリアルタイム記憶を容易に実現させる。
【００５４】
また、同時に受信した付加情報内の時間情報から楽曲の境界の受信タイミングを検出して、次の楽曲の先頭についてのＨＤＤ４３における記録位置を付加情報とともにメタデータテーブルに格納し、ＨＤＤ４３内に記録しておく。そして、このメタデータテーブルを参照することにより、記録した音声データを楽曲ごとに検索することを可能にする。
【００５５】
ここで、メタデータテーブルのテーブル構造の例を、表１に示す。
【００５６】
【表１】
2005174405.tif 000003
【００５７】
表１では、例として、図３に示したタイミングＴ３１において記録が開始され、タイミングＴ３５において記録が終了された場合に生成されるメタデータテーブルを示している。メタデータテーブルでは、例えば受信された楽曲の順にトラック番号が割り当てられ、トラック番号ごとに、その楽曲の先頭が記録されたＨＤＤ４３上の位置情報（先頭位置情報と呼称する）と、その楽曲に対応する付加情報から楽曲名、アーティスト名、演奏時間が格納される。このうち、先頭位置情報は、例として、ＨＤＤ４３における読み出し、書き込みの最小単位であるセクタ番号で表されるものとする。
【００５８】
さらに、メタデータテーブルには、記録された楽曲の音声データが、楽曲の先頭から終了までＨＤＤ４３に記録されたか否かを示す状態フラグを格納することも可能である。状態フラグは、例えば１ビットのデータで表され、先頭から終了まで完全に記録された場合に「０」、不完全な場合、すなわち、楽曲の途中から記録が開始された場合と、楽曲の途中で記録が終了された場合に、「１」の値をとる。
【００５９】
図４は、放送受信装置３において音楽チャネルのデータを記録する際の処理の流れを示すフローチャートである。
音楽チャネルが選曲された状態で、ステップＳ４０１において、例えばユーザの入力操作などにより記録の開始が指示されると、ステップＳ４０２に進む。
【００６０】
ステップＳ４０２において、ＴＳ分離回路３３において分離された対応する音声ストリームのＴＳパケットを、ＨＤＤ４３に順次記録させる。
ステップＳ４０３において、音声ストリームの記録開始時にＨＤコントローラ４２に指示した記録位置情報（セクタ番号に対応）を、先頭位置情報として、受信中の楽曲のメタデータテーブルに格納する。なお、このときメタデータテーブルは、例えばＲＡＭ４１内に一時的に生成し、記録の終了後にＨＤＤ４３に格納する。
【００６１】
ステップＳ４０４において、受信されている付加情報から、楽曲名、アーティスト名および演奏時間を抽出して、メタデータテーブルに格納する。また、このときは、楽曲の途中から記録が開始されたと判断して、状態フラグを「１」として記録する。なお、例えば付加情報内の演奏時間と経過時間との一致・不一致を判定するなどにより、楽曲の先頭から記録されたか否かを判定できる場合には、その判定に応じた状態フラグの値を記録してもよい。
【００６２】
ステップＳ４０５において、付加情報から演奏時間および経過時間を抽出する。
ステップＳ４０６において、抽出した演奏時間および経過時間から、受信中の楽曲の受信終了時刻を算出する。具体的には、演奏時間から経過時間を減算した値を、ＳＴＣの周波数（２７ＭＨｚ）を基準とした時刻情報に換算する。また、このときＣＰＵ３９はＳＴＣのカウントを行っているが、音声ストリームから抽出したＰＣＲを基に、ＳＴＣのカウント値を校正しておく。
【００６３】
ステップＳ４０７において、受信している音声データストリーム中のＰＴＳの値を監視し、ステップＳ４０６で算出した受信終了時刻と一致するか否かを判定する。なお、このとき実際には、ＰＴＳの値をＳＴＣの周波数を基準とした時刻情報に換算して比較する。一致しない場合はステップＳ４０８に進む。
【００６４】
ステップＳ４０８において、ユーザの入力操作により、記録の終了が指示されたか否かを判定し、指示されていない場合はステップＳ４０７に戻ってＰＴＳの監視を続行し、指示された場合はステップＳ４１２に進む。そして、ステップＳ４０７において、受信終了時刻とＰＴＳとが一致した場合は、ステップＳ４０９に進む。
【００６５】
ステップＳ４０９において、例えばユーザの入力操作などにより記録の終了が指示されたか否かを判定し、指示されていない場合はステップＳ４１０に進み、指示された場合はステップＳ４１３に進む。従って、ステップＳ４１０に進んだときは、それまで受信していた楽曲の記録が終了して、次の楽曲の記録が開始されることになる。
【００６６】
ステップＳ４１０において、次のＴＳパケットをＨＤＤ４３に記録させるための記録位置情報を、メタデータテーブル内の次の楽曲に対応する先頭位置情報の欄に格納する。
ステップＳ４１１において、次の楽曲の付加情報から楽曲名、アーティスト名および演奏時間を抽出して、メタデータテーブルに格納する。また、状態フラグを「０」として記録する。その後、ステップＳ４０５に戻り、次の楽曲の受信終了時刻を算出して、その時刻とＰＴＳとが比較される。
【００６７】
また、ステップＳ４０８において、受信終了時刻に達する前に、例えばユーザの入力操作などにより記録の終了が指示された場合には、楽曲の途中で記録が終了されたと判断されるので、ステップＳ４１２において、メタデータテーブル内のこのとき記録中の楽曲に対応する状態フラグを「１」に書き換える。なお、ステップＳ４０９において記録の終了が指示された場合には、楽曲の受信が終了したタイミングとなるため、状態フラグは「０」のままとなる。
【００６８】
ステップＳ４１３において、音声ストリームのＨＤＤ４３への記録を終了させた後、ＲＡＭ４１に一時記録していたメタデータテーブルを、ＨＤＤ４３内に記録させて、処理を終了する。
【００６９】
以上の処理により、音声ストリームをＨＤＤ４３に順次記録しながら、その音声ストリーム中の楽曲の先頭の記録位置がメタデータテーブル内に記録される。従って、簡易な処理により、受信した音声ストリームをリアルタイムにＨＤＤ４３に記録可能でありながら、記録した音声ストリームを楽曲ごとに検索することが可能となる。また、記録位置とともに付加情報を関連付けて記録しておくことができるので、ＨＤＤ４３に記録した楽曲の付加情報を、一覧表示した楽曲リストなどとして出力することができる。
【００７０】
図５は、ＨＤＤ４３に記録した楽曲の楽曲リストの画面表示例を示す図である。
ユーザの操作入力により、記録した楽曲についての楽曲リストの表示が要求されると、ＣＰＵ３９は、ＨＤＤ４３からメタデータテーブルを読み出し、楽曲リストの画面データを作成して画像合成処理回路３６に出力する。これにより、テレビジョン受像機３ａに楽曲リストが表示される。
【００７１】
図５に示す楽曲リストは、表１で示したメタデータテーブルに基づいて生成されたものであり、トラック番号を示す表示部５１、楽曲名およびアーティスト名を示す表示部５２、演奏時間（再生時間）を示す表示部５３、および、完全に記録されていない状態であることを示す表示部５４によって構成され、これによりＨＤＤ４３に記録された各楽曲についての情報が一覧表示される。ただし、表示部５３では、その楽曲が完全な状態で記録されているか否かに関係なく、対応する付加情報に記述された演奏時間がそのまま表示される。
【００７２】
ここで、上記の表示部５４では、メタデータテーブル内に記録された状態フラグに応じて表示が行われる。図５の例では、当該楽曲が不完全な状態で記録されている場合にのみ、所定のマークが表示される。放送受信装置３では、上述したように、ＨＤＤ４３上の音声データ自体は楽曲単位で記録されず、音声ストリームの状態のまま記録されるので、１回の記録動作中の最初の楽曲および最後の楽曲については、その楽曲全体を完全に記録できない可能性が大きい。従って、状態フラグに基づいて、楽曲の音声データの記録状態を表示部５４に表示させてユーザに通知することにより、ユーザの利便性を高めることができる。
【００７３】
なお、上記の図４の処理例では、楽曲の途中から記録が開始された場合もその楽曲の音声データをＨＤＤ４３にそのまま記録しているが、この楽曲については記録を行わず、その楽曲の受信終了時刻から記録動作を開始させてもよい。また、楽曲の記録途中に記録終了が指示された場合には、その楽曲の受信終了時刻までＨＤＤ４３への音声ストリームの書き込みを強制的に続行させてもよい。このような処理により、すべての楽曲の音声データを完全な状態で記録することができる。
【００７４】
また、図５のような楽曲リストから、任意の楽曲を選択して再生出力させることもできる。例えば、楽曲リストを表示させた状態で、リモートコントローラの方向キーを用いて任意の楽曲を選択し、再生ボタンを押下することで、指定した楽曲の再生を指示する信号がＣＰＵ３９に対して出力される。
【００７５】
図６は、ＨＤＤ４３に記録した楽曲を再生する基本的な処理の流れを示すフローチャートである。
ステップＳ６０１において、ユーザの操作入力などにより、トラックの指定および再生の指示が行われた場合は、ステップＳ６０２に進む。
【００７６】
ステップＳ６０２において、メタデータテーブルを参照して、指定されたトラックに対応する先頭位置情報を読み取る。
ステップＳ６０３において、読み取った先頭位置情報を用いて、ＨＤコントローラ４２に対してＨＤＤ４３からの情報の読み出しを指示する。
【００７７】
ステップＳ６０４において、ＨＤＤ４３から読み出された音声データを、ＭＰＥＧオーディオデコーダ３５に順次供給し、伸張復号化処理を実行させる。これにより、指定された楽曲がテレビジョン受像機３ａにおいて再生出力される。
【００７８】
また、メタデータテーブルを参照することで、ＨＤＤ４３に記録した楽曲を任意の順番で自動的に再生させることも可能である。
図７は、記録した楽曲の自動再生のための画面表示例を示す図である。
【００７９】
図７（Ａ）では、記録された楽曲の中から自動再生を行う楽曲を選択するための楽曲選択画面を示している。この楽曲選択画面では、表示部７１において、記録された楽曲および付加情報の一覧を示す楽曲リストが表示される。この表示部７１では、図５に示した楽曲リストと同様に、各楽曲が完全な状態で記録されているか否かをユーザが確認することが可能である。そして、例えば、リモートコントローラの方向キーにより任意の楽曲を選択して、決定キーを押下することにより、図７（Ｂ）に示す再生リスト表示画面に遷移し、選択した楽曲が再生リストに加えられる。
【００８０】
図７（Ｂ）の再生リスト表示画面では、表示部７２において、選択された楽曲を再生順に表示する再生リストが表示される。再生リストには、選択された楽曲名の他、アーティスト名やトラック番号、演奏時間などを表示してもよい。また、この画面から、例えばリモートコントローラ上の指定された方向キーを押下することで、図７（Ａ）の楽曲選択画面に戻り、再生リストに楽曲をさらに追加することが可能である。そして、例えば、再生リスト表示画面を表示した状態から、リモートコントローラの再生キーを押下することにより、再生リストに表示された順に楽曲が自動的に再生される。
【００８１】
以上のように、メタデータテーブルを参照することで、音声データを楽曲単位のデータファイルとしてＨＤＤ４３に記録した場合と同様な再生動作を行うことが可能である。また、メタデータテーブルでは、記録位置情報と付加情報とが一元的に管理されるので、楽曲や付加情報のデータ読み出しを高速に行うことができる。
【００８２】
なお、上記の実施の形態では、本発明を衛星デジタル放送により音声データとその付加情報とを配信するサービスに適用した場合について説明したが、他の方式のデジタル放送に適用することも可能である。
【００８３】
また、楽曲の音声データとともに動画像データまたは静止画像データが配信されるサービスに対して、本発明を適用することも可能である。さらに、楽曲の他に、例えば映画やスポーツ中継などの動画像コンテンツを配信するサービスに対して、本発明を適用することも可能である。このような場合、受信した動画像ストリームおよび音声ストリームをそのまま記録媒体に順次記録するとともに、これらのストリーム内の映画やスポーツ中継などのプログラムごとに先頭の記録位置が検出され、付加情報とともにメタデータテーブルに記録される。
【００８４】
さらに、上記の実施の形態では、楽曲の付加情報を音声ストリームとは別のデータストリームとして配信したが、例えば、音声ストリーム中のヘッダなどに付加情報を挿入してもよい。
【００８５】
また、受信した音声ストリームなどを記録させる記録媒体としては、ＨＤＤの他に、ＤＶＤなどの光ディスク媒体、半導体メモリを用いたメモリカードなどの可搬型の記録媒体を適用してもよい。ただし、このような可搬型の記録媒体に音声や動画像などのデータストリームおよびメタデータテーブルを記録させて、上記の放送受信装置以外の別の装置においてデータストリームを再生する場合には、例えば、その装置において、メタデータテーブルに基づいてデータストリーム中から音声や動画像のデータを楽曲などのプログラムごとに再生するための専用のアプリケーションプログラムを搭載しておく必要がある。
【図面の簡単な説明】
【００８６】
【図１】本発明の実施の形態に係る衛星デジタル放送システムのシステム構成例を示す図である。
【図２】本発明の実施の形態に係る放送受信装置の内部構成例を示すブロック図である。
【図３】音楽チャネルにおいて送信されるデータストリームの構成を模式的に示す図である。
【図４】放送受信装置において音楽チャネルのデータを記録する際の処理の流れを示すフローチャートである。
【図５】ＨＤＤに記録した楽曲の楽曲リストの画面表示例を示す図である。
【図６】ＨＤＤに記録した楽曲を再生する基本的な処理の流れを示すフローチャートである。
【図７】記録した楽曲の自動再生のための画面表示例を示す図である。
【符号の説明】
【００８７】
１……地上局、２……通信衛星、３……放送受信装置、４……電話回線網、１１……ＴＶ番組素材サーバ、１２……楽曲素材サーバ、１３……音声付加情報サーバ、１４……ＧＵＩデータサーバ、１５……課金サーバ、１６……キー情報サーバ、３１……チューナ、３２……デスクランブラ、３３……ＴＳ分離回路、３４……ＭＰＥＧビデオデコーダ、３５……ＭＰＥＧオーディオデコーダ、３６……画像合成処理回路、３７……ＮＴＳＣ変換回路、３８……ＤＡコンバータ、３９……ＣＰＵ、４０……ＲＯＭ、４１……ＲＡＭ、４２……ＨＤコントローラ、４３……ＨＤＤ、４４……入力Ｉ／Ｆ、４５……モデム、４６……メモリカードＩ／Ｆ、４６ａ……メモリカード、４７……内部バス
【図１】
2005174405.tif 000004
【図２】
2005174405.tif 000005
【図３】
2005174405.tif 000006
【図４】
2005174405.tif 000007
【図５】
2005174405.tif 000008
【図６】
2005174405.tif 000009
【図７】
2005174405.tif 000010